(57)【要約】【課題】  外観に悪影響を与えずにプリンタと操作パネルとの間の導通をとる。【解決手段】  プリンタシャーシに複数分割されたグランドスプリングをプリンタシャーシに取り付け、操作パネルユニットに取り付けられたアンダーカバーの一部を所定の形状に呈し、前記グランドスプリングにアンダーカバーを圧入せしめ、さらに操作パネルにリブを形成せしめ、前記アンダーカバーを背後より付勢せしめる。【選択図】  図３
2006116771.tif 000002
【特許請求の範囲】
【請求項１】
操作部ユニットを有する記録装置であって、該操作部ユニットの内部に電子基板を固定する固定部材が取り付けられ、記録装置本体内部に収納されたプリンタユニットに取り付けられた導通部材が筐体より外部より露呈し、前記固定部材の係合部が前記導通部材に圧入する記録装置であって、操作部ユニットのカバー裏面に付勢リブを設け、前記固定部材の係合部に形成されたフランジ部を当接せしめることを特徴とする記録装置。
【請求項２】
前記導通部材は弾性を有する板状の金属で形成され、かつ複数の曲率を有する形状を呈しており、該曲率部の一端にそれぞれ接触面を形成し、他端はプリンタに装着するための取り付け部を有することを特徴とする請求項１項記載の記録装置。
【発明の詳細な説明】
【技術分野】
【０００１】
本発明は、プリンタ、複写機、ワープロ、パーソナルコンピュータ、ファクシミリ等の記録装置に関し、特に記録装置に操作パネルユニットを搭載する記録装置に関するものである。
【背景技術】
【０００２】
従来、プリンタ等の記録装置は上ケース３１と、下ケース３２と、アクセスカバー３３とフロントカバー３４と、操作パネルユニット３５から構成された。さらには、上ケース３１上部にはカードスロット（記録メディア挿入口）３６が設けられ、操作パネルユニット３５には表示装置（以下ビューワーと呼ぶ場合もある）３７が回転自在に取り付けられ、オペレータはデジタルカメラ（以下デジカメと呼ぶ場合もある）等によって写真等が記録された記録メディアをカードスロット３６に挿入し、ビューワー３７を見ながら各種操作を行うことができる。
【０００３】
ところで、記録装置のノイズ対策あるいは静電気対策のために、操作パネルユニット３５やカードスロット３６とプリンタユニット（不図示）のシャーシ間で導通をとる必要がある。
【０００４】
この場合、操作パネルユニット３５あるいはカードスロット３６内部に電子基板等を格納するために取り付けられた板金（不図示）からアース線（不図示）を引き出し、プリンタユニット（不図示）の所定の位置にネジ止めしていた。
【０００５】
あるいは、別の手段として、プリンタユニット（不図示）にグランドスプリング（不図示）を取り付け、操作パネルユニット３５を記録装置本体（以下本体と呼ぶ場合もある）に組み込んだら、前記板金（不図示）にグランドスプリング（不図示）に圧接せしめる構成をとっていた。
【０００６】
その他に操作パネルをアースする構成として例えば特許文献１に開示されたものがある。
【特許文献１】特開２００２−３０７７７７号公報
【発明の開示】
【発明が解決しようとする課題】
【０００７】
しかしながら、上記従来例においては、次に挙げるような問題があった。
【０００８】
アース線をプリンタにネジ止めする手段においては、アース線をできるだけ短く設定するので、組み込みが困難で、ネジ止めを行う手間がかかる。また、アース線を組み込んだ後の線処理が煩雑で、他部品との間にアース線を噛み込んでしまうことも少なくなかった。
【０００９】
さらにグランドスプリングを圧接する手段においては、導通を高めるため圧接力が必要となるため、グランドスプリングの剛性を高めることとなり、グランドスプリングの大きな復元力によって、操作パネルユニットを本体に組み込むと浮いてしまい、隙間等が発生し、外観上好ましくない。また、隙間等を防ぐために圧接力を弱くすると導通の効果が薄れることはいうまでもない。
【課題を解決するための手段】
【００１０】
上記課題を解決するために本発明の代表的な構成は、プリンタシャーシに複数分割されたグランドスプリングをプリンタシャーシに取り付け、操作パネルユニットに取り付けられたアンダーカバーの一部を所定の形状に呈し、前記グランドスプリングにアンダーカバーを圧入せしめ、さらに操作パネルにリブを形成せしめ、前記アンダーカバーを背後より付勢せしめるようにした。
【発明の効果】
【００１１】
上記構成によれば、操作パネルユニットを本体に容易に組み込むことができ、外観に悪影響を与えずプリンタと操作パネルとの間の導通を強固にとることができる。
【発明を実施するための最良の形態】
【００１２】
（第１の実施の形態）
本発明における記録装置の第１の実施形態について説明する。
【００１３】
図１及び図２は本実施形態に係る記録装置の斜視図である。
【００１４】
プリンタ等の記録装置において、記録がなされて排出される記録媒体を保持する排紙トレイ１８を格納するフロントカバー９及びバックカバー１７と、上ケース４、下ケース５と、給紙トレイ７（以下給紙カバーと呼ぶ場合もある）と、アクセスカバー８と、オペレータが印刷するため各種モードを選択するために設けられた操作パネルユニット１と、デジタルカメラ（以下デジカメと呼ぶ場合もある）等からの信号を受け取り、パーソナルコンピュータ等を介さず記録装置により直接印字するためにデジタルカメラと記録装置をケーブルで接続するためのピクトブリッジコネクタ１４と、携帯電話からの信号を受け取るための赤外線受光部１６（以下IRDAと呼ぶ場合もある）と、前記ピクトブリッジコネクタ１４及びIRDA１６を覆うためのRカバー１３より構成される。なお、IRDA１６を保護、目隠しするためのIRDA窓１５がRカバー１３に取り付けられる。また、上ケース４と、下ケース５と、給紙カバー７と、アクセスカバー８と、フロントカバー９と、これら外装部材内にプリンタユニット２２が収納される。
【００１５】
前記フロントカバー９は下ケース５の軸受け部（不図示）にその回転軸が係合され、回転自在に保持される。フロントカバー９を開動すると排紙トレイ１８の一部が露呈するので、オペレータは排紙トレイ１８を引き出し、さらには、給紙カバー７を開動させて補助トレイ２０を引き出し、そこに記録媒体を載せ印刷開始動作を行う。プリンタユニット２２より排出された記録媒体としてのシートは、排紙トレイ１８及びバックカバー１７上に順次積載される。
【００１６】
また、下ケース５下部には給紙カセット２４を装着するので、オペレータは給紙カセット２４内に記録媒体を充填させれば、給紙カバー７を開動させなくても印刷ができる。
【００１７】
図３は操作パネルユニット１の斜視図である。
【００１８】
操作パネルユニット１（以下単部品を示すために操作パネルと呼ぶ場合もある）にはオペレータが各種操作を行うための操作キー１２（以下キー列と呼ぶ場合もある）が配置され、オペレータに各種情報を視覚的に伝達するためのビューワー１０が回転自在に取り付けられる。さらに前面には、ＣＳカバー１１が回転自在に取り付けられており、CSカバー１１を開動せしめると、デジカメ等により写真、画像を記録したコンパクトフラッシュ（登録商標）等の各種記録メディアを挿入するためのカードスロット（挿入口）１９が露呈される（以下、便宜上カードコネクタと表現する場合もある）。すなわち、オペレータが記録メディアを挿入し、ビューワー１０を見ながら各種機能の選択あるいは印字操作を行うことができる。前述したように、カードスロット１９の前面にはCSカバー１１が回動自在に取り付けられるので、使用しないときはＣＳカバー１１を閉じておけば、カードスロット１９内部に埃や異物等が進入することはない。
【００１９】
一方、操作パネルユニット１の左側面にはレバー２１が取り付けられており、操作パネルユニット１を本体に組み込んだとき、アクセスカバー８の一部がレバー２１の上部を押下するようになっているので、アクセスカバー８が開いたまま印字操作を行うと、ビューワー１０に警告等を表示させ、オペレータに注意を促すようになっている。
【００２０】
図４は操作パネルユニット１の斜視図、図５は操作パネル１の斜視図であり、裏側からみた図である。
【００２１】
パネル基板２５は各種操作部のタクトスイッチ（不図示）及びケーブル（不図示）を配線するためのコネクタ２７等を実装しており、オペレータがキー列１２のどれかを押下げするとキー列１２の一部がタクトスイッチを押下げ、スイッチのＯＮ／ＯＦＦがされる。また、前述したアクセスカバー８の開閉を検知するためのスイッチも同様に実装されている。背面には前述したように操作部の信号を、プリンタ２２に装着されたメイン基板３０に信号を伝送するために、不図示のケーブルを接続するためのコネクタ２７が実装される。
【００２２】
上記構成において、パネル基板２５は操作パネル１に形成されたボス１ｉに複数箇所ネジ止めされる。
【００２３】
一方、CS基板２６には各種記録メディアを挿入し、データを読み書きするためのカードコネクタ１９が表裏面に実装され，裏面には記録メディアの信号をメイン基板３０に伝送するためのコネクタ２８が実装される。板金で形成されるアンダーカバー２にはCS基板２６を取り付けるための形状２ｃ、２ｄ及び２ｅが形成され、折り曲げ部２ｃ及び２ｄにネジ止めによりCS基板２６が固定される。
【００２４】
操作パネル１の後部にはLVパッド２９が装着され、ビューワー１０の底面を適度な摩擦力で押圧することにより、ビューワー１０を回動させ任意の角度で保持することができる。
【００２５】
図６はアンダーカバー２の斜視図である。
【００２６】
アンダーカバー２は前述したように板金で形成され、CS基板２６を固定するための形状２ｃ、２ｄ及び２ｅが形成される。アンダーカバー２の前面には引っ掛け部２ｆが形成され、後部には折り曲げ部２ｅが形成される。また、後部には貫通穴２ｈが形成され、前記コネクタ２７が下部に露呈するようになっている。
【００２７】
さらには、最後尾では、後述するグランドスプリング３（以下GNDスプリングと呼ぶ場合もある）を強固に圧接する係合部形状を呈している。
【００２８】
上記構成において、引っ掛け部２ｆを操作パネル１のリブ１ｊに係合し、折り曲げ部２ｇをネジ止めすることにより、アンダーカバー２を操作パネル１にしっかりと固定するこができる。
【００２９】
図７はGNDスプリング３の斜視図である。
【００３０】
GNDスプリング３は導電性を有する薄肉の板金で形成され、アンダーカバー２の係合部２ａ及び２ｂが圧入される曲率を有するばね部３ａ及び３ｂと、プリンタユニット２２（以下、便宜上プリンタシャーシと表現する場合もある）に取り付けられるための取り付け部３ｃ及び３ｄからなる。また、ばね部３ａ及び３ｂはアンダーカバー２の係合部２ａ及び２ｂとの実質の接触面積を大きく確保するために２分割されており、ばね部３ａ及び３ｂの幅ｗ３はアンダーカバー２の溝幅ｗ２より大きくなっている。取り付部３ｃ及び３ｄの幅ｌ３はプリンタユニット２２に形成されるリブ幅ｗ２２より小さくなっており、取り付け部３ｃ及び３ｄは２分割されていて、弾性変形することによりプリンタユニット２２に係合する。
【００３１】
ばね部３ａ及び３ｂの下方には接触面３ｅ及び３ｆが形成され、アンダーカバー２の係合部２ａ及び２ｂの隙間（ｗ２）がばね部３ａ及び３ｂに圧入されると接触面３ｅ及び３ｅが下方に移動し、プリンタシャーシに２２圧接するようになる。
【００３２】
図８はGNDスプリング３をプリンタユニット２２に装着した斜視図である。
【００３３】
図９は本体より操作パネル１を外したところを示す斜視図である。
【００３４】
上ケースには開口部４ｅが形成され、プリンタユニット２２に装着されたGNDスプリング３が外部に露呈する。
【００３５】
図１０はアンダーカバー２の係合部２ａ及び２ｂがGNDスプリング３に圧入されている状態を示す斜視図である。
【００３６】
メイン基板３０より接続されたケーブル（不図示）を操作パネルユニット１のコネクタ２７に接続し、操作パネル１の爪をｃ及び１ｄをRカバー１３の溝１３ａ及び１３ｂに引っ掛け、回動させながら上ケース４に取り付ける。すると、強固にGNDスプリング３に係合するようになっているため、アンダーカバー２の係合部２ａ及び２ｂがGNDスプリング３の曲率部３ａ及び３ｂに突入するので、GNDスプリング３の大きな弾性力により変形を生じようとする。しかしながら、操作パネル１には付勢リブ１ａ及び１ｂが形成され、アンダーカバー２の係合部２ａ及び２ｂと当接しているので、上記付勢リブ１ａ及び１ｂがアンダーカバー２係合部２ａ及び２ｂを背後から付勢し、係合部２ａ及び２ｂの変形を阻止することができる。さらに操作パネルユニット１の回動を進行させると、アンダーカバー２の係合部２ａ及び２ｂはGNDスプリング３の曲率部３ａ及び３ｂを通過し安定した圧接状態を保ちながら、かつ、GNDスプリング３の接触面３ｅ及び３ｆがプリンタシャーシ２２に圧接する。この状態で操作パネル１の爪１ｅ及び１ｆが上ケース４のリブ４ａ及び４ｂに係合し仮止めができるの。最後に上ケース４に設けられたネジ止め部４ｃ及び４ｄにネジ止めをする。
【００３７】
上記構成によれば、静電対策あるいはノイズ対策のためのアース線を用いることがないので、容易に本体に操作パネルユニットを装着することができ、操作パネルユニットのメンテナンスのための取り外しも容易である。
【００３８】
しかも、外観に悪影響を与えることなく操作パネルとプリンタユニットとの導通を強固にとることができる。
【図面の簡単な説明】
【００３９】
【図１】本発明を実施した記録装置の斜視図（カバーを閉じたところ）。
【図２】本発明を実施した記録装置の斜視図（カバーを開けたところ）。
【図３】操作パネルユニットの外観斜視図。
【図４】操作パネルユニットの裏面斜視図。
【図５】操作パネル（部品）の裏面斜視図。
【図６】アンダーカバーの斜視図。
【図７】GNDスプリングの斜視図。
【図８】プリンタユニットの斜視図。
【図９】記録装置本体より操作パネルを外したときの斜視図。
【図１０】アンダーカバーとGNDスプリングが係合しているところの斜視図。
【図１１】本発明を実施した記録装置の任意の位置での断面図。
【図１２】従来例の記録装置の斜視図。
【符号の説明】
【００４０】
１  操作パネルユニット（あるいは操作パネル）
２  アンダーカバー
３  グラウンドスプリング（GNDスプリング）
４  上ケース
５  下ケース
６  トップカバー
７  給紙トレイ（給紙カバー）
８  アクセスカバー
９  フロントカバー
10  表示装置（ビューワー）
11  CSカバー
12  操作キー
13  Rカバー
14  ピクトブリッジ
15  IRDA窓
16  赤外線受光部
17  バックカバー
18  排紙トレイ
19  カードスロット（あるいはカードコネクタ）
20  補助給紙トレイ
21  レバー
22  プリンタユニット（あるいはプリンタシャーシ）
23  キャリッジ
24  給紙カセット
25  パネル基板
26  CS基板
27  コネクタ（パネル部）
28  コネクタ（CS部）
29  LVパッド
30  メイン基板
31  上ケース（従来例）
32  下ケース（従来例）
33  アクセスカバー（従来例）
34  フロントカバー（従来例）
35  操作パネルユニット（従来例）
36  カードスロット（従来例）
37  表示装置（従来例）
38  ＣＳカバー（従来例）
39  給紙カバー（従来例）
40  ピクトブリッジコネクタ
【図１】
2006116771.tif 000003
【図２】
2006116771.tif 000004
【図３】
2006116771.tif 000005
【図４】
2006116771.tif 000006
【図５】
2006116771.tif 000007
【図６】
2006116771.tif 000008
【図７】
2006116771.tif 000009
【図８】
2006116771.tif 000010
【図９】
2006116771.tif 000011
【図１０】
2006116771.tif 000012
【図１１】
2006116771.tif 000013
【図１２】
2006116771.tif 000014